(57)【特許請求の範囲】
【請求項１】
少なくとも棒金を収納する棒金保管装置であって、
収納筐体と、
前記収納筐体に対して引き出し自在に設けられる収納ドロアと、
複数の棒金収納ユニットを有し、各棒金収納ユニットが前記収納ドロアに対して着脱自在になっている棒金収納部と、
前記棒金収納部に収納される棒金の収納状況を検知する収納状況検知部と、
を備えることを特徴とする棒金保管装置。
【請求項２】
各棒金収納ユニットは、前記収納ドロアに対する配置位置が選択可能になっていることを特徴とする請求項１に記載の棒金保管装置。
【請求項３】
各棒金収納ユニットに収納される棒金の金種が決まっていることを特徴とする請求項１又は２のいずれかに記載の棒金保管装置。
【請求項４】
紙葉類又は棒金以外の硬貨を収納する補助収納部をさらに備え、
前記補助収納部は、前記収納ドロアに対して着脱自在になっていることを特徴とする請求項１乃至３のいずれか１項に記載の棒金保管装置。
【請求項５】
前記補助収納部は、補助収納ユニットを有し、
前記補助収納ユニットは、各棒金収納ユニットと同じ大きさ又は各棒金収納ユニットの整数倍の大きさになっていることを特徴とする請求項４に記載の棒金保管装置。
【請求項６】
前記収納ドロアに前記棒金収納部のみが配置されている場合には前記棒金収納部のみが配置されていることを検知し、前記棒金収納部及び前記補助収納部が配置されている場合には前記棒金収納部及び前記補助収納部が配置されていることを検知する配置状態入手手段をさらに備えたことを特徴とする請求項１乃至５のいずれか１項に記載の棒金保管装置。
【請求項７】
請求項１乃至６のいずれか１項に記載の棒金保管装置と、
前記棒金保管装置に通信可能に接続された外部装置と、
を備え、
前記収納ドロアにおける前記棒金収納部の配置状況が、前記外部装置から前記棒金保管装置に通知されることを特徴とする棒金保管システム。
【請求項８】
請求項１乃至６のいずれか１項に記載の棒金保管装置と、
前記棒金保管装置に通信可能に接続された外部装置と、
を備え、
前記収納状況検知部によって検知された前記棒金の収納状況を、前記外部装置へ送信することを特徴とする棒金保管システム。
【発明の詳細な説明】
【技術分野】
【０００１】
本発明は、少なくとも棒金を収納することができる棒金保管装置及び棒金保管システムに関する。
【背景技術】
【０００２】
従来、収納庫本体と、この収納庫本体に対して引出し自在に設けられ、特定金種の棒金硬貨をそれぞれ１本ずつ収納可能な複数の棒金収納部が設けられた棒金ドロアと、この棒金ドロアの棒金収納部ごとに棒金硬貨の有無を検知する棒金有無検知手段と、この有無検知手段による検知結果を硬貨釣銭機へ送信する検知結果送信手段と、を備えた棒金収納庫が知られている（特許文献１参照）。
【特許文献１】特開２００６−８５３３２
【発明の開示】
【発明が解決しようとする課題】
【０００４】
本発明は、着脱自在になっている複数の棒金収納ユニットに収納されている棒金の収納状況を検知することができる棒金保管装置を提供することを目的とする。
【課題を解決するための手段】
【０００５】
本発明による補助保管装置の第１の態様は、
少なくとも棒金を収納することができる釣銭機の補助保管装置において、
収納筐体と、
前記収納筐体に対して引き出し自在に設けられる収納ドロアと、
を備え、
前記収納ドロアに、紙葉類または棒金以外の硬貨を収納する補助収納部が、着脱自在に設けられている。
【０００６】
本発明による補助保管装置の第１の態様において、
前記補助収納部は、前記収納ドロアから取り外した状態で、少なくとも上面を覆うカバー体を付加することができることが好ましい。
【０００７】
本発明による補助保管装置の第１の態様において、
前記補助収納部が前記収納ドロアに設置されていないときには、該補助収納部が該収納ドロアに設置されていないことを検知する検知センサが設けられていることが好ましい。
【０００８】
本発明による補助保管装置の第２の態様は、
少なくとも棒金を収納することができる釣銭機の補助保管装置において、
収納筐体と、
前記収納筐体に対して引き出し自在に設けられる収納ドロアと、
を備え、
棒金を収納する棒金収納部、または、紙葉類もしくは棒金以外の硬貨を収納する補助収納部が、前記収納ドロアに対する配置位置が選択可能となっている。
【０００９】
本発明による補助保管装置の第２の態様において、
前記補助収納部が、前記棒金収納部に対して、前記収納ドロアの引き出し方向側に配置可能であることが好ましい。
【００１０】
本発明による補助保管装置の第２の態様において、
前記棒金収納部が、前記補助収納部に対して、前記収納ドロアの引き出し方向側に配置可能であることが好ましい。
【００１１】
本発明による補助保管装置の第２の態様において、
前記棒金収納部内の棒金の収納状況または前記補助収納部内の紙葉類もしくは棒金以外の硬貨の収納状況を検知する収納状況検知部と、前記棒金収納部または前記補助収納部の前記収納ドロアに対する配置状態を入手する配置状態入手手段と、をさらに備え、前記棒金収納部内の棒金の収納状況または前記補助収納部内の紙葉類もしくは棒金以外の硬貨の収納状況を認識する方法は、前記配置状態入手手段からの情報に基づいて、制御されることが好ましい。
【００１２】
このような態様において、
前記配置状態入手手段は、前記棒金収納部または前記補助収納部の形状に基づいて、前記棒金収納部または前記補助収納部の配置状態を入手することが好ましい。
【００１３】
上述のような態様において、
前記配置状態入手手段は、外部から入力される入力信号に基づいて、前記棒金収納部または前記補助収納部の配置状態を入手することが好ましい。
【００１４】
本発明による補助保管装置の第２の態様において、
前記棒金収納部および前記補助収納部は三個以上のユニットからなることが好ましい。
【００１５】
このような態様において、
前記棒金収納部は二個以上の棒金収納ユニットからなり、前記棒金収納ユニットの各々に収納される棒金の金種が異なることが好ましい。
【発明の効果】
【００１６】
本発明によれば、棒金以外の収納スペース（補助収納部）を設けたので、紙葉類や棒金以外の硬貨を収納することができる。また、収納ドロアに、紙葉類または棒金以外の硬貨を収納する補助収納部が、着脱自在に設けられているので、紙葉類や棒金以外の硬貨を収納したまま運搬することができる。さらに、棒金を収納する棒金収納部、または、紙葉類もしくは棒金以外の硬貨を収納する補助収納部が、収納ドロアに対する配置位置が選択可能となっているので、使用態様に合わせたレイアウトを実現することができる。
【発明を実施するための形態】
【００１７】
第１の実施の形態
以下、本発明に係る補助保管装置の第１の実施の形態について、図面を参照して説明する。ここで、図１乃至図９は本発明の第１の実施の形態を示す図である。
【００１８】
図１に示すように、釣銭機システムは、釣銭に関する処理を行う釣銭機５０，５５と、当該釣銭機５０，５５の下方に配置され、棒金の収納を行うことができる釣銭機の補助保管装置１と、を備えている。なお、この釣銭機５０，５５は、硬貨を処理する硬貨用釣銭機５５と、紙幣を処理する紙幣用釣銭機５０とからなっている。
【００１９】
また、図１乃至図３に示すように、補助保管装置１は、収納筐体２と、収納筐体２に対して引き出し自在に設けられる収納ドロア３と、を有している。このうち、収納ドロア３には、図２に示すように、棒金を収納する棒金収納部５と、紙葉類および棒金以外の硬貨を収納する補助収納部１０が、着脱自在に設けられている。そして、棒金収納部５および補助収納部１０は、収納ドロア３に対する配置位置が選択可能となっている（図６乃至図９参照）。
【００２０】
また、図２および図３に示すように、補助収納部１０は、現金以外の紙葉類を収納する現金外紙葉類収納部１２と、予備紙幣を収納する予備紙幣収納部１１と、予備硬貨を収納する予備硬貨収納部１３と、オーバーフロー硬貨やリジェクト硬貨などの硬貨を収納する硬貨収納部１６，１７と、を有している。
【００２１】
なお、現金以外の紙葉類とは、例えば小切手や商品券などのことを意味する。また、オーバーフロー硬貨とは、硬貨用釣銭機５５の収容量が満たされ、処理を継続するため硬貨用釣銭機５５から回収した一部の硬貨のことを意味し、リジェクト硬貨とは、汚損などが原因で硬貨用釣銭機５５において識別することができず、リジェクトされた硬貨のことを意味する。
【００２２】
また、図２および図３に示すように、収納ドロア３の正面壁のうち硬貨収納部１６，１７に対応する二箇所の位置には、硬貨を投入するための硬貨投入用スリット１６ａ，１７ａが設けられている。また、収納ドロア３の正面壁のうち現金外紙葉類収納部１２に対応する位置には、現金外紙葉類を投入するための紙葉類投入用スリット１２ａが設けられている。
【００２３】
また、図３に示すように、収納筐体２には、紙幣用釣銭機５０を介して、ＰＯＳレジスタ（外部装置）６０に連結された制御部４０が設けられている。また、ＰＯＳレジスタ６０は、図３に示すように、ストアコントローラ６５と通信可能となっており、ストアコントローラ６５へ信号を送信したり、ストアコントローラ６５から信号を受信したりする。さらに、このストアコントローラ６５は、図３に示すように、ホストコンピュータ７０と通信可能となっており、ホストコンピュータ７０へ信号を送信したり、ホストコンピュータ７０から信号を受信したりする。
【００２４】
また、図１および図２に示すように、収納筐体２の正面壁には、制御部４０からの情報を受けて、様々な態様で点灯したり、点滅したりする表示部４５が設けられている。
【００２５】
また、図４に示すように、収納ドロア３には、補助収納部１０および棒金収納部５が収納ドロア３に設置されていないときに、補助収納部１０が収納ドロア３に設置されていないことを制御部４０に報知する二組の検知センサ２８ａ−２９ｂが設けられている。なお、この検知センサ２８ａ−２９ｂは、収納ドロア３の側面内方に設けられ、光を発光する発光部２８ａ，２９ａと、収納ドロア３の側面内方に設けられ、発光部２８ａ，２９ａによって発光される光を受光する受光部２８ｂ，２９ｂとからなっている。ところで、図４は、検知センサ２８ａ−２９ｂと後述する突出部５ｐ，１０ｐとの関係を示す概略縦断面図を示している。
【００２６】
具体的には、補助収納部１０の側壁外方には、比較的短い突出部１０ｐが設けられており、棒金収納部５の側壁外方には、比較的長い突出部５ｐが設けられている。また、収納筐体２の側壁内方には、これらの突出部５ｐ，１０ｐを検知するための検知センサ２８ａ−２９ｂが設けられている。
【００２７】
ここで、検知センサ２８ａ−２９ｂの発光部２８ａ，２９ａから発光された光が、突出部５ｐ，１０ｐによって遮断されることなく受光部２８ｂ，２９ｂで受光された場合には、収納ドロア３に、補助収納部１０および棒金収納部５のいずれも配置されていないと、制御部４０によって認識されることとなる。
【００２８】
ところで、図４に示すように、収納ドロア３に補助収納部１０が配置された場合には、突出部１０ｐによって、一方の発光部２８ａからの光だけが遮断され、発光部２９ａからの光は受光部２９ｂによって受光される。このため、収納ドロア３に補助収納部１０が配置されていることが、制御部４０によって認識される。他方、収納ドロア３に棒金収納部５が配置された場合には、突出部５ｐによって、両方の発光部２８ａ，２９ａからの光が遮断される。このため、収納ドロア３に棒金収納部５が配置されていることが、制御部４０によって認識される。
【００２９】
このように、検知センサ２８ａ−２９ｂは、棒金収納部５および補助収納部１０の収納ドロア３に対する配置状態を入手する配置状態入手手段としても機能し、棒金収納部５の突出部５ｐの形状および補助収納部１０の突出部１０ｐの形状に基づいて、棒金収納部５および補助収納部１０の配置状況を入手する。
【００３０】
また、図３に示すように、収納ドロア３の下面にはスリット３ｓが設けられており、棒金収納部５には、このスリット３ｓに対応したスリット５ｓが設けられ、補助収納部１０にも、このスリット３ｓに対応したスリット１１ｓ，１２ｓが設けられている。なお、補助収納部１０においては、予備紙幣収納部１１に一つのスリット１１ｓが設けられ、現金外紙葉類収納部１２に二つのスリット１２ｓが設けられている。
【００３１】
また、図５に示すように、収納筐体２には、棒金収納部５内の棒金の収納状況と、補助収納部１０内の紙葉類の収納状況を検知するセンサ（収納状況検知部）２６ａ，２６ｂが設けられている。なお、このセンサ２６ａ，２６ｂは、収納筐体２の下面内方に設けられ、光を発光する発光部２６ａと、収納筐体２の上面内方に設けられ、発光部２６ａによって発光された光を受光する受光部２６ｂとからなっている。ところで、図５は、補助収納部１０内および棒金収納部５内の収納状況を検知するためのセンサ２６ａ，２６ｂを示す概略縦断面図である。
【００３２】
そして、センサ２６ａ，２６ｂは、スリット３ｓ，５ｓ，１１ｓ，１２ｓに対応する箇所（三箇所）に設けられており、発光部２６ａから発光された光は、各スリット３ｓ，５ｓ，１１ｓ，１２ｓ内を通過できるようになっている。
【００３３】
また、収納ドロア３と収納筐体２との間には、制御部４０に接続されたロータリエンコーダ（変位検出手段）２１が設けられており、収納ドロア３の収納筐体２に対する位置を検出することができるようになっている。このため、制御部４０は、ロータリエンコーダ２１とセンサ２６ａ，２６ｂから得られる情報に基づいて、棒金の直径を検出し、金種の判定を行うとともに、この判定結果をＰＯＳレジスタ６０に送信するように構成されている。
【００３４】
また、図４に示すように、補助収納部１０は凸部１０ｄと凹部１０ｅを有し、棒金収納部５は凸部５ｄと凹部（図示せず）を有している。また、収納ドロア３は凹部３ｅを有している。そして、補助収納部１０の凸部１０ｄは、棒金収納部５の凹部および収納ドロア３の凹部３ｅ内に収納可能となり、棒金収納部５の凸部５ｄは、補助収納部１０の凹部１０ｅおよび収納ドロア３の凹部３ｅ内に収納可能となっている。なお、図４では、棒金収納部５の凸部５ｄが補助収納部１０の凹部１０ｅ内に収納され、補助収納部１０の凸部１０ｄが収納ドロア３の凹部３ｅ内に収納されている。
【００３５】
次に、このような構成からなる本実施の形態の作用について述べる。
【００３６】
図２に示すように、棒金を収納する棒金収納部５と、紙葉類および棒金以外の硬貨を収納する補助収納部１０は、収納ドロア３に対して、着脱自在に設けられている。このため、棒金を収納した棒金収納部５や、紙葉類および棒金以外の硬貨を収納した補助収納部１０を、取り外してそのまま運搬することができる。
【００３７】
また、これら棒金収納部５と補助収納部１０は、収納ドロア３から取り外した状態で、全体を覆う袋（カバー体）（図示せず）内に収納することができるようになっている。このため、外部から、棒金や、紙葉類および棒金以外の硬貨を運搬することが視認されることを、防止することができる。
【００３８】
また、棒金収納部５および補助収納部１０は、収納ドロア３に対する配置位置が選択可能となっているので、店舗毎の運用といった使用態様に合わせたレイアウトを実現することができる（図６乃至図９参照）。また、収納ドロア３内に収納される棒金収納部５と補助収納部１０の組み合わせも、適宜選択することができる。
【００３９】
例えば、図６に示すように、収納ドロア３内に棒金収納部５と補助収納部１０を収納させ、補助収納部１０を、棒金収納部５に対して、収納ドロア３の引き出し方向側に配置することができる。この場合には、収納ドロア３を開けたときに、外部から棒金が見えることを防止することができる。また、本実施の形態のように、収納ドロア３の正面壁に硬貨投入用スリット１６ａ，１７ａや紙葉類投入用スリット１２ａが設けられている場合には、これら硬貨投入用スリット１６ａ，１７ａおよび紙葉類投入用スリット１２ａを介して、硬貨や現金以外の紙葉類を容易に硬貨収納部１６，１７や現金外紙葉類収納部１２内に収納することができる。
【００４０】
また、図７に示すように、収納ドロア３内に棒金収納部５と補助収納部１０を収納させ、棒金収納部５を、補助収納部１０に対して、収納ドロア３の引き出し方向側に配置することもできる。この場合には、棒金収納部５から棒金を容易に取り出すことができる。
【００４１】
その他にも、図８に示すように、収納ドロア３内に二つの棒金収納部５を収納させたり、図９に示すように、収納ドロア３内に二つの補助収納部１０を収納させたりしてもよい。収納ドロア３内に二つの棒金収納部５を収納した場合には、棒金を大量に収納することができ、他方、収納ドロア３内に二つの補助収納部１０を収納した場合には、紙葉類および棒金以外の硬貨を大量に収納することができる。このため、店舗内での使用状況などに応じて、補助保管装置１の使用態様を、適宜選択することができる。
【００４２】
また、制御部４０は、検知センサ２８ａ−２９ｂからの情報に基づいて、収納ドロア３内に補助収納部１０と棒金収納部５のいずれも配置されていないと判断した場合には、このことを表示部４５によって表示させる（図１および図２参照）。このため、操作者は、収納ドロア３に、補助収納部１０と棒金収納部５のいずれも配置されていない状況を、容易に認識することができる。なお、表示部４５の表示方法としては、赤色を点滅させたり、赤色を点灯させたりするなど、様々な態様のものを用いることができる。
【００４３】
また、制御部４０は、検知センサ２８ａ−２９ｂからの情報に基づいて、収納ドロア３内の配置状態を認識することができる（図４参照）。そして、制御部４０は、収納されている収納部の種類（補助収納部１０または棒金収納部５）に合わせて、棒金収納部５内の棒金の収納状況および補助収納部１０（予備紙幣収納部１１および現金外紙葉類収納部１２）内の紙葉類の収納状況を認識する方法を制御することができる（図３参照）。
【００４４】
例えば、図６に示すように、収納ドロア３内に補助収納部１０と棒金収納部５が配置され、補助収納部１０が棒金収納部５に対して引き出し方向側に位置している場合には、収納ドロア３を引き出している際に、まず、センサ２６ａ，２６ｂによって補助収納部１０内の有無検知が行われ、さらに引き出して棒金収納部５が発光部２６ａと受光部２６ｂの間に位置するまで至ると、センサ２６ａ，２６ｂによって棒金収納部５内の有無検知と棒金の金種判定が行われる。他方、図７に示すように、収納ドロア３内に補助収納部１０と棒金収納部５が配置され、棒金収納部５が補助収納部１０に対して引き出し方向側に位置している場合には、収納ドロア３を引き出している際に、まず、センサ２６ａ，２６ｂによって棒金収納部５内の有無検知と棒金の金種判定が行われ、さらに引き出して補助収納部１０が発光部２６ａと受光部２６ｂの間に位置するまで至ると、センサ２６ａ，２６ｂによって補助収納部１０内の有無検知が行われる。
【００４５】
このように、制御部４０が、収納されている収納部の種類に合わせて検知方法を制御するので、一種類のセンサ２６ａ，２６ｂを用いるだけで、棒金収納部５については有無検知と棒金の金種判定を行うことができ、補助収納部１０については有無検知を行うことができる。
【００４６】
ところで、センサ２６ａ，２６ｂが補助収納部１０および棒金収納部５のいずれを検知対象としているかは、検知センサ２８ａ−２９ｂによる突出部５ｐ，１０ｐの検知結果と、ロータリエンコーダ２１によって得られる収納ドロア３の収納筐体２に対する位置情報とに基づいて、制御部４０によって決定される。すなわち、制御部４０は、まず、検知センサ２８ａ−２９ｂによる突出部５ｐ，１０ｐの検知結果によって収納ドロア３内の配置状態を決定し（収納ドロア３内に補助収納部１０および棒金収納部５がどのように配置されているかを決定し）、その後、ロータリエンコーダ２１によって得られる収納ドロア３の収納筐体２に対する位置情報に基づいて（収納ドロア３が収納筐体２に対してどの程度閉じた状態となっているかに基づいて）、収納筐体２に設けられている発光部２６ａと受光部２６ｂの間に補助収納部１０と棒金収納部５のいずれが位置しているかを決定する。
【００４７】
なお、上記では、検知センサ２８ａ−２９ｂが、棒金収納部５および補助収納部１０の収納ドロア３に対する配置状態を入手する配置状態入手手段として機能し、棒金収納部５の突出部５ｐの形状および補助収納部１０の突出部１０ｐの形状に基づいて、棒金収納部５および補助収納部１０の配置状況を入手する態様を用いて説明した。しかしながら、これに限ることなく、棒金収納部５および補助収納部１０の配置状況は、例えば、ＰＯＳレジスタ６０から入力される入力信号に基づいて入手されてもよい。
【００４８】
なお、上記では、収納ドロア３に二組の検知センサ２８ａ−２９ｂが設けられ、この二組の検知センサ２８ａ−２９ｂの遮蔽状態によって、収納ドロア３内に補助収納部１０および棒金収納部５がどのように配置されているかを決定される態様を用いて説明した。
【００４９】
しかしながら、これに限られることなく、例えば、一組の検知センサが収納筐体２の側面内方に設けられ、収納ドロア３を収納筐体２から引き出したり、収納ドロア３を収納筐体２内に入れたりするときに、突出部５ｐ，１０ｐを検知するようにしてよい。すなわち、ロータリエンコーダ２１からの収納ドロア３の収納筐体２に対する位置情報と、検知センサが遮蔽されているか否かに関する情報の両方を用いることによって、収納筐体２の側面内方に設けられた検知センサの間を突出部５ｐ，１０ｐが通過する長さを検知することができる。このため、補助収納部１０および棒金収納部５が収納ドロア３内にどのように配置されているかを決定することができる。
【００５０】
なお、このような態様においては、収納ドロア３の側壁には、突出部５ｐ，１０ｐが貫通することができる開口部が設けられることとなり、この開口部から外方に突出した突出部５ｐ，１０ｐを検知センサが検知することとなる。
【００５１】
第２の実施の形態
次に、図１０により、本発明の第２の実施の形態について説明する。図１０に示す第２の実施の形態は、棒金収納部５が、第一棒金収納ユニット５ａ、第二棒金収納ユニット５ｂおよび第三棒金収納ユニット５ｃ（三個の棒金収納ユニット５ａ，５ｂ，５ｃ）からなり、補助収納部１０が、第一補助収納ユニット１０ａおよび第二補助収納ユニット１０ｂ（二個の補助収納ユニット１０ａ，１０ｂ）からなっているものであり、棒金収納部５および補助収納部１０が五個のユニットからなっている。その他の構成は図１乃至図９に示す第１の実施の形態と略同一である。
【００５２】
図１０に示す第２の実施の形態において、図１乃至図９に示す第１の実施の形態と同一部分には同一符号を付して詳細な説明は省略する。
【００５３】
図１０に示すように、本実施の形態では、棒金収納部５が、第一棒金収納ユニット５ａ、第二棒金収納ユニット５ｂおよび第三棒金収納ユニット５ｃからなり、補助収納部１０が、第一補助収納ユニット１０ａおよび第二補助収納ユニット１０ｂからなっている。
【００５４】
また、図１０に示すように、第一補助収納ユニット１０ａは、現金外紙葉類収納部１２と、予備硬貨収納部１３と、硬貨収納部１６，１７からなり、第二補助収納ユニット１０ｂは、予備紙幣収納部１１からなっている。
【００５５】
なお、図１０には、第一棒金収納ユニット５ａと第一補助収納ユニット１０ａが正面側に配置され、第二棒金収納ユニット５ｂ、第三棒金収納ユニット５ｃおよび第二補助収納ユニット１０ｂが背面側に配置された状態が示されている。
【００５６】
ここで、第一棒金収納ユニット５ａ、第二棒金収納ユニット５ｂ、第三棒金収納ユニット５ｃ、第一補助収納ユニット１０ａおよび第二補助収納ユニット１０ｂの各々が、収納ドロア３に対して着脱自在となっている。なお、棒金収納ユニット５ａ，５ｂ，５ｃの各々に収納される棒金の金種が異なっている。
【００５７】
このため、第一棒金収納ユニット５ａ、第二棒金収納ユニット５ｂ、第三棒金収納ユニット５ｃ、第一補助収納ユニット１０ａおよび第二補助収納ユニット１０ｂの各々を、取り外してそのまま運搬することができる。この結果、必要な金種を収納した一つの棒金収納ユニット５ａ，５ｂ，５ｃのみを運搬したり、現金外紙葉類などを収納した第一補助収納ユニット１０ａのみを運搬したり、予備紙幣を収納した予備紙幣収納部１１のみを運搬したりすることができる。
【００５８】
また、第一棒金収納ユニット５ａ、第二棒金収納ユニット５ｂ、第三棒金収納ユニット５ｃおよび第二補助収納ユニット１０ｂの各々の大きさが互いに同じ大きさからなっており、かつ、第一補助収納ユニット１０ａの幅方向（引き出し方向に直交した水平方向）の大きさが、これら第一棒金収納ユニット５ａ、第二棒金収納ユニット５ｂ、第三棒金収納ユニット５ｃおよび第二補助収納ユニット１０ｂの各々の幅方向の大きさの二倍になっている（第一補助収納ユニット１０ａのその他の方向の大きさは、第一棒金収納ユニット５ａ、第二棒金収納ユニット５ｂ、第三棒金収納ユニット５ｃおよび第二補助収納ユニット１０ｂの各々と同じ大きさになっている）。このため、これら第一棒金収納ユニット５ａ、第二棒金収納ユニット５ｂ、第三棒金収納ユニット５ｃ、第一補助収納ユニット１０ａおよび第二補助収納ユニット１０ｂを、収納ドロア３内に様々なレイアウトで配置することができる。
【００５９】
また、上述のように、棒金収納ユニット５ａ，５ｂ，５ｃの各々に収納される棒金の金種が異なっている。このため、例えば、利用頻度の高い棒金を収納する棒金収納ユニット５ａ，５ｂ，５ｃを正面側に配置し、利用頻度の低い棒金を収納する棒金収納ユニット５ａ，５ｂ，５ｃを背面側に配置することができ、作業効率を向上させることができる。
【００６０】
なお、このような棒金の配置の一例としては、図１０において、第一棒金収納ユニット５ａに、４本の１０円の棒金と１本の５０円の棒金が収納され、第二棒金収納ユニット５ｂに、４本の１００円の棒金と１本の５００円の棒金が収納され、第三棒金収納ユニット５ｃに、４本の１円棒金と１本の５円棒金が収納されているものなどを挙げることができる。
【図面の簡単な説明】
【００６１】
【図１】本発明の第１の実施の形態による釣銭機システムを示す斜視図。
【図２】本発明の第１の実施の形態による補助保管装置を示す斜視図。
【図３】本発明の第１の実施の形態による釣銭機システムの構成を示す概略図。
【図４】本発明の第１の実施の形態による補助保管装置における検知センサと突出部との関係を示す概略縦断面図。
【図５】本発明の第１の実施の形態による補助保管装置において、補助収納部内および棒金収納部内の収納状況を検知するためのセンサを示す概略縦断面図。
【図６】本発明の第１の実施の形態による補助保管装置において、補助収納部および棒金収納部の収納ドロア内での配置状態の一例を示す上方平面図。
【図７】本発明の第１の実施の形態による補助保管装置において、補助収納部および棒金収納部の収納ドロア内での配置状態の別の例を示す上方平面図。
【図８】本発明の第１の実施の形態による補助保管装置において、補助収納部および棒金収納部の収納ドロア内での配置状態のさらに別の例を示す上方平面図。
【図９】本発明の第１の実施の形態による補助保管装置において、補助収納部および棒金収納部の収納ドロア内での配置状態のさらに異なる例を示す上方平面図。
【図１０】本発明の第２の実施の形態による釣銭機システムの構成を示す概略図。
【符号の説明】
【００６２】
１      補助保管装置
２      収納筐体
３      収納ドロア
３ｓ    スリット
５      棒金収納部
５ａ    第一棒金収納ユニット
５ｂ    第二棒金収納ユニット
５ｃ    第三棒金収納ユニット
５ｓ    スリット
１０    補助収納部
１０ａ  第一補助収納ユニット
１０ｂ  第二補助収納ユニット
１１ｓ  スリット
１２ｓ  スリット
２６ａ，２６ｂ  センサ（収納状況検知部）
２８ａ−２９ｂ  検知センサ（配置状態入手手段）
４０    制御部
４５    表示部
５０    紙幣釣銭機
５５    硬貨釣銭機
６０    ＰＯＳレジスタ（外部装置）
【図１】
0005524382.tif 000002
【図２】
0005524382.tif 000003
【図３】
0005524382.tif 000004
【図４】
0005524382.tif 000005
【図５】
0005524382.tif 000006
【図６】
0005524382.tif 000007
【図７】
0005524382.tif 000008
【図８】
0005524382.tif 000009
【図９】
0005524382.tif 000010
【図１０】
0005524382.tif 000011